(57)【特許請求の範囲】
【請求項１】
外部機器を冷却するための循環冷却水を冷却する冷却塔装置において、パネル式タンクの外部に設けられる補強部材の上部に冷却塔を一体的に連設し、該冷却塔の下部から前記パネル式タンクに循環冷却水を流下させるとともに、外部機器からの戻り循環冷却水を前記冷却塔に導入する入口管と、循環冷却水をパネル式タンクから外部機器に供給する出口管と、前記パネル式タンクに補給水を導入する給水口とを設けたことを特徴とする冷却塔装置。
【請求項２】
前記冷却塔の上部に手摺りを設けるとともに、地上から前記冷却塔の上部までの間を昇降可能な梯子を掛け渡したことを特徴とする請求項１記載の冷却塔装置。
【発明の詳細な説明】
【技術分野】
【０００１】
本発明は、外部機器を冷却するための循環冷却水を冷却するための冷却塔装置に係り、詳しくは、パネル式タンクの上部に冷却塔を一体的に連設した冷却塔装置に関する。
【背景技術】
【０００２】
工場内に配設された機器を冷却するための循環冷却水を冷却する冷却塔は、頂部に排気ファンを有する排気口を、側部に外気導入口をそれぞれ設け、該外気導入口よりも上方から被冷却水を充填材に向けて散水し、冷却された液滴が充填材の下部に設けられた下部水槽に落下するようにしている（例えば、特許文献１参照）。
【０００３】
従来、上述のような冷却塔の下部水槽の保有水量を増加させるためには、下部水槽を深くしたり、地下に貯水ピットを施工し、該貯水ピットに下部水槽を連結させたり、単位パネルを立体的に組み立てたパネル式タンク（例えば、特許文献２参照）に下部水槽を連結させるものがあった。
【特許文献１】特開２００４−５３１６１号公報
【特許文献２】特開平５−１４８８６５号公報
【発明の開示】
【発明が解決しようとする課題】
【０００４】
しかし、冷却塔に設けた下部水槽の保有水量を増加させるために下部水槽を深くすると、水槽の深さに合わせた強度設計が必要となり、別途冷却塔成形用の型が必要となるものもあることから、コストが嵩んでいた。地下に貯水ピットを施行するものでは、貯水ピットの施工に手間や時間が掛かり、また、パネル式タンクを用いるものでは、パネル式タンクと冷却塔本体とを別々に配置することから、設置面積を広く取らなければならなかった。さらに、鋼鉄製の枠体を形成し、該枠体の上下に冷却塔とパネル式タンクとをそれぞれ配設すると、設置面積は小さくなるものの、枠体を別途製造しなければならず、コストが嵩むとともに、冷却塔の搬入や施工に手間が掛かり、また、冷却塔とパネル式タンクとを繋ぐ配管も設けなければならなかった。
【０００５】
そこで本発明は、簡単な構造で冷却塔本体とパネル式タンクとをユニット化することができ、製造コストや設置に掛かるコストを低減でき、また、簡便に搬入でき、施工も容易な冷却塔を提供することを目的としている。
【課題を解決するための手段】
【０００６】
上記の目的を達成するため本発明は、外部機器を冷却するための循環冷却水を冷却する冷却塔装置において、パネル式タンクの外部に設けられる補強部材の上部に冷却塔を一体的に連設し、該冷却塔の下部から前記パネル式タンクに循環冷却水を流下させるとともに、外部機器からの戻り循環冷却水を前記冷却塔に導入する入口管と、循環冷却水をパネル式タンクから外部機器に供給する出口管と、前記パネル式タンクに補給水を導入する給水口とを設けたことを特徴とし、さらに、前記冷却塔の上部に手摺りを設けるとともに、地上から前記冷却塔の上部までの間を昇降可能な梯子を掛け渡したことを特徴としている。
【発明の効果】
【０００７】
本発明の冷却塔装置は上述のように、パネル式タンクの外部に設けられる補強部材の上部に前記冷却塔を一体的に連設し、該冷却塔の下部水槽から前記パネル式タンクに循環冷却水を流下させる流路を形成するので、低コストで簡単に冷却塔とパネル式タンクとをユニット化することができる。また、設置面積を小さくすることができ、簡便に搬入することができ、施工も容易になる。
【０００８】
さらに、冷却塔装置に手摺りや梯子を設けたことにより、パネル式タンクや冷却塔の点検・補修作業や洗浄作業を容易且つ安全に行うことができる。
【０００９】
また、冷却塔装置を設置する際に、ピットを深く掘る必要がないので、冷却塔装置の解体撤去時に、タンクの基礎部分のはつり作業を行うのみで、簡単に現状復帰させることができる。
【００１０】
さらにパネル式タンクを用いたことにより、容量の変更が容易で、また、埋設ピットとは異なり、経年劣化による漏水も目視判別が可能である。また、パネル式タンクはタンク内の清掃が容易なので、沈殿物等の堆積による容量減を防止することができ、異物が混入する虞もない。
【発明を実施するための最良の形態】
【００１１】
以下、本発明の一形態例を図面に基づいて詳しく説明する。図１は本発明の一形態例を示す冷却塔装置の一部断面正面図、図２は冷却塔装置の側面図、図３は冷却塔装置の平面図である。本形態例の冷却塔装置１は、工場内に設けられた機器を冷却するための循環冷却水を冷却するもので、屋外に設置され、パネル式タンク１０の外部に設けられる補強部材２０の上部に冷却塔３０が一体的に連設されている。
【００１２】
パネル式タンク１０は、ＦＲＰ製の複数の単位パネル１１ａ，１１ｂを立体的に組み合わせて角形に形成したもので、縦方向に長い側壁用単位パネル１１ａを長辺側に４枚、短辺側に２枚それぞれ接合して各側面が形成され、正方形状の天井・底部用単位パネル１１ｂを上下部に８枚ずつそれぞれ接合して上面及び下面が形成されている。各単位パネル１１ａ，１１ｂは、外周縁に外方に折り曲げ形成されたフランジ部を有し、隣り合う単位パネル１１ａ，１１ｂのフランジ部をボルト及びナットを用いて連結することによって水密状態に接合される。
【００１３】
パネル式タンク１０の下方には、循環冷却水をパネル式タンク１０から工場内の機器に供給する配管の出口管１２が形成される。また、パネル式タンク１０の一端側上部には、タンク洗浄時に作業者が出入りできるようにマンホール１３が、一端側下部には、タンク内の水を外部に排出するための排水口１４がそれぞれ設けられている。さらに、パネル式タンク１０の他端側上方には、パネル式タンクに補給水を自動で導入する配管の給水口１５と、手動で導入する配管の給水口１６とが設けられ、補給水を自動で導入する配管の給水口１５にはボールタップが取り付けられている。また、パネル式タンク１０の一端側には、オーバーフロー口１７が設けられている。
【００１４】
補強部材２０は鋼材で形成され、単位パネル１１ａ，１１ｂの上部及び下部に設けられる上部枠体２１及び下部枠体２２と、各単位パネル１１ａ，１１ｂのフランジ部の連結部分に設けられ、前記上部枠体２１と下部枠体２２とを繋ぐように形成される接続部材２３と、下部枠体２２に形成される脚部２４とを有し、これらは、パネル式タンク１０の上部に冷却塔３０を連設させることができる所定の強度を備えている。
【００１５】
冷却塔３０は、前記パネル式タンク１０よりも一辺の幅寸法が短い角形に形成され、下部には脚部３１を備え、前記パネル式タンク１０のマンホール１３を備えていない他端側の前記上部枠体２１に一体に取り付けられている。冷却塔３０の頂部中央には、排気用ファン３２を有する排気口３３が、両側部には外気導入口３４，３４がそれぞれ設けられ、外気導入口３４，３４にはルーバ３５がそれぞれ取り付けられている。前記外気導入口３４の内側には充填材３６が配置され、該充填材３６の上部には、循環冷却水を散水する散水部３７がそれぞれ設けられている。充填材３６の下部には、下部水槽３８が設けられるとともに、該下部水槽３８の中央部分には、パネル式タンク１０側へ突出され、下部水槽３８からパネル式タンク１０に循環冷却水を流下させる流路となる突出部３８ａが形成されている。
【００１６】
冷却塔３０とパネル式タンク１０との間には、工場内の機器からの戻り循環冷却水を冷却塔３０に導入する配管３９の入口管４０が設けられ、冷却塔３０の上部で配管３９は配管３９ａ，３９ｂの２方に分かれ、前記散水部３７，３７に連結している。
【００１７】
冷却塔３０の上部外周には、手摺り５０が設けられるとともに、前記パネル式タンク１０のマンホール１３と排水口１４とを備えた一端側に、地上からパネル式タンク１０の上部に昇降可能な第１梯子５１が、前記冷却塔３０の一端側に、パネル式タンク１０の上部から冷却塔３０の頂部に昇降可能な第２梯子５２が、地上から冷却塔３０の略中央部に設けた点検用扉４１まで昇降可能な第３梯子５３とがそれぞれ掛け渡されている。
【００１８】
このように構成された冷却塔装置１では、工場内の機器から入口管４０に接続された配管３９を介して戻ってくる高温の循環冷却水が、配管３９ａ，３９ｂを介して、冷却塔３０の各散水部３７に導入され、各充填材３６上に散水される。散水された循環冷却水は、充填材３６を流下中にファン３２に吸い込まれた外気と接触し、冷却されて下部水槽３８に流下し、突出部３８ａの前記流路を介してパネル式タンク１０に送られる。パネル式タンク１０内の冷却された循環冷却水は、出口管１２から配管を介してポンプによって工場内の機器に送られる。また、循環冷却水が減少した際には、給水口１５に取り付けられた自動給水用の配管や給水口１６に取り付けられた手動給水用の配管を介して、冷却水が補充される。
【００１９】
本形態例の冷却塔装置１は、上述のようにパネル式タンク１０の補強部材２０となる上部枠体２１，下部枠体２２，接続部材２３，及び脚部２４を利用してパネル式タンク１０の上部に冷却塔３０を設置するので、低コストで簡単にパネル式タンク１０と冷却塔３０とをユニット化することができる。これにより、冷却塔装置１の設置面積を小さくすることができるとともに、簡便に搬入することができ、施工も容易になる。また、突出部３８ａ内に形成された流路を介して冷却塔３０で冷却された循環冷却水がパネル式タンク１０に流下するようになっているので、冷却塔３０とパネル式タンク１０とを繋ぐ配管を必要とせず、さらに、自動給水用の給水口１５にボールタップを取り付けることから、冷却塔装置１の構造を簡略化することができコストの低減を図ることができる。
【００２０】
また、冷却塔３０の上部に手摺り５０を設けるとともに、パネル式タンク１０及び冷却塔３０に梯子５１，５２，５３を設けたことにより、パネル式タンク１０や冷却塔３０の点検・補修作業や洗浄作業を容易且つ安全に行うことができる。
【００２１】
なお、本発明は上述の形態例に限るものではなく、パネル式タンクの上部に設ける冷却塔はどのようなタイプのものでも良い。また、パネル式タンクや冷却塔の形状も角形に限らず任意である。さらに、パネル式タンクは、単位パネルを用途に応じてステンレス鋼で形成しても良く、タンク内の循環冷却水の沈殿を防止する越流壁や、停滞を防止する迂回壁等を設置することも容易にできる。また、パネル式タンクの内部やパネル式タンクに隣接して、ポンプ等の装置を収容するポンプ室を設けることもでき、これにより、ポンプ等の簡易な機器を室内で保護することができる。さらに、冷却塔に下部水槽を設けずに、充填材から直接パネル式タンク循環冷却水を流下させるものでも良い。
【図面の簡単な説明】
【００２２】
【図１】本発明の一形態例を示す冷却塔の一部断面正面図である。
【図２】同じく冷却塔の側面図である。
【図３】同じく冷却塔の平面図である。
【符号の説明】
【００２３】
１…冷却塔装置、１０…パネル式タンク、１１ａ，１１ｂ…単位パネル、１２…出口管、１３…マンホール、１４…排水口、１５，１６…給水口、１７…オーバーフロー口、２０…補強部材、２１…上部枠体、２２…下部枠体、２３…接続部材、２４…脚部、３０…冷却塔、３１…脚部、３２…排気用ファン、３３…排気口、３４…外気導入口、３５…ルーバ、３６…充填材、３７…散水部、３８…下部水槽、３９，３９ａ，３９ｂ…配管、４０…入口管、４１…点検扉、５０…手摺り、５１…第１梯子、５２…第２梯子、５３…第３梯子
【図１】
0004719593.tif 000002
【図２】
0004719593.tif 000003
【図３】
0004719593.tif 000004